(57)【要約】【課題】吸込口本体に対して掃除機本体を起立状態に確実に係止可能にし、吸込口本体に対して係止機構を容易に組み付け可能にした吸込口体を提供する。【解決手段】吸込口本体５に回転管３７を介して接続パイプ３６を前後動可能に取り付け、吸込口本体５の左右方向の一側に回路基板３４を他側にモータ３０を設け、回転管３７の開口部３７ａから回路基板３４にリード線４１を配線する。回転管３７のリード線４１が配線されている側と反対側の開口部３７ｂと吸込口本体５との間に、接続パイプ３６を起立した状態にロックする係止機構４３を設けて吸込口体４０を構成する。【選択図】          図２
2004230043.tif 000002
【特許請求の範囲】
【請求項１】
吸込口本体の略中央に回転管を介して前後方向に回動可能に取り付けられた接続パイプと、前記吸込口体に設けられた電動部と、前記電動部を制御するものであって前記接続パイプの一側に配設された回路基板及び該回路基板へ配線されるリード線と、前記接続パイプを起立させた状態で前記回転管と前記吸込口本体とをロックする係止機構とを有する吸込口体であって、
前記係止機構は、前記接続パイプの他側に配設されたことを特徴とする吸込口体。
【請求項２】
前記係止機構が、板バネと前記回転管と共に可動して前記板バネに設けられた突部部に係止する係止部材とからなることを特徴とする請求項１に記載の吸込口体。
【請求項３】
前記板バネ及び係止部材が、金属からなることを特徴とする請求項２に記載の吸込口体。
【請求項４】
電動送風機を内蔵すると共に操作用の把手を有する掃除機本体と、請求項１ないし３何れか１項に記載の吸込口体と、を有することを特徴とするアップライト型の電気掃除機。
【発明の詳細な説明】
【０００１】
【発明の属する技術分野】
本発明は、底面に吸込開口が設けられた吸込口本体と、この吸込口本体に回動可能に設けられた接続パイプとを備えた吸込口体及びこれを備える電気掃除機に関する。
【０００２】
【従来の技術】
従来から、吸込口体を前後に操作し易いように、掃除機本体に接続される接続パイプを回転管を介して吸込口本体に対して上下方向に回動可能設けたアップライト型の電気掃除機が知られている。
【０００３】
この電気掃除機においては、吸込口本体の底面を被清掃面に付勢すると共に、吸込口本体に対して掃除機本体を略垂直の状態に係止する係止部を備えた付勢手段が設けられている。
【０００４】
上記付勢手段は、一端が前記吸込口本体に当接され、他端が接続パイプに当接されて吸込口本体を被清掃面に付勢する捩りバネからなっており、接続パイプと共に回動するピンが捩りバネの一端に設けられた突部を乗り越えることにより掃除機本体を略垂直の起立状態に係止していた（特許文献１）。
【０００５】
【特許文献１】
特開２０００−２１７７５０号公報（図８、図１０）
【０００６】
【発明が解決しようとする課題】
しかしながら、従来の吸込口体においては、吸込口本体のモータが収納されている側にも回転管からのリード線が引き出されていたので、吸込口本体のモータ側に配設されていた付勢手段がリード線に絡んだり、リード線が断線する虞があった。
【０００７】
また、上記のような捩りバネを用いた付勢手段においては、この捩りバネを所定量だけねじった状態にしてから吸込口体に組み付けなければならないため組付性が悪く、作業効率が低下する問題があった。さらに、捩りバネの付勢力は、比較的重量の大きい掃除機本体を起立した状態に係止して保持するには弱すぎるという問題があり、逆に捩りバネの付勢力を大きくすると吸込口体に対する捩りバネの組み付けがさらに難しくなる問題があった。
【０００８】
本発明は、吸込口本体に対して掃除機本体を起立状態に確実に係止可能にすると共に、吸込口本体に対して係止機構を容易に組み付け可能にした吸込口体及びこれを備える電気掃除機を提供することを目的とするものである。
【０００９】
【課題を解決するための手段】
本発明は、上述事情に鑑みなされたものであって、請求項１の発明は、吸込口本体の略中央に回転管を介して前後方向に回動可能に取り付けられた接続パイプと、前記吸込口体に設けられた電動部と、前記電動部を制御するものであって前記接続パイプの一側に配設された回路基板及び該回路基板へ配線されるリード線と、前記接続パイプを起立させた状態で前記回転管と前記吸込口本体とをロックする係止機構とを有する吸込口体であって、前記係止機構は、前記接続パイプの他側に配設されたことを特徴としている。
【００１０】
【発明の実施の形態】
以下、本発明に係わる吸込口体及びこれを備える電気掃除機の実施の形態を図面に基づいて説明する。
【００１１】
図１はアップライト型の電気掃除機１の外観を示している。この電気掃除機１は、把手２ａを有する掃除機本体２とハンドル３とを有している。このハンドル３は、掃除機本体２に一体的に隣設されている二重管からなる吸込風路管４の上部に折り畳み自在に取り付けられている。
【００１２】
上記吸込風路管４の下部には、後述する接続パイプを介して吸込口本体５が着脱自在に装着されている。前記掃除機本体２内には、上方から電動送風機６、サイクロンケース７及びダストカップ８がそれぞれ配設されている。
【００１３】
上記吸込風路管４は、サイクロンケース７に対応する高さの位置において掃除機本体２に導通している。また、吸込風路管４には、隙間を清掃するための集塵ホース９の一端が装着され、この集塵ホース９の他端は通常はホース取付部１０に取り付けられている。
【００１４】
上記電動送風機６により掃除機本体２内の空気が吸引されて掃除機本体２内が負圧になると、吸込口本体５の底面１１から吸引された空気は吸込風路管４を介して掃除機本体２のサイクロンケース７内に導入される。このサイクロンケース７内で発生したサイクロンの作用により、吸引された空気の塵埃は分離されてダストカップ８内に収納される。
【００１５】
また、電動送風機６から送風される空気は、吸込風路管４の図示しない循環風路を介して再び吸込口本体５に循環されて被清掃面に吹き付けられるようになっている。
【００１６】
次に、上記吸込口本体５の構成を図２及び図３に基づいて説明する。吸込口本体５は、図１に示すように上ケース１２及び下ケース１３を有しており、図２及び図３は上ケース１２を取り外した吸込口本体５の内部をそれぞれ示している。
【００１７】
図３において、吸込口本体５の底面１１側には、吸込開口１４が横方向に沿って形成されている。この吸込開口１４を囲むようにして前側の区画壁１５、左右側の区画壁１６，１７及び後側の区画壁１８、１９がそれぞれ設けられている。
【００１８】
上記区画壁１６、１８及び下ケース１３の後壁２０とにより、吸込口本体５の一側（左側）に延長部２１ａを有するＬ字状の第１室２１が形成されている。
また、同様に吸込口本体５の他側（右側）には、区画壁１７、区画壁１９及び後壁２０とにより、延長部２２ａを有するＬ字状の第２室２２が形成されている。
【００１９】
上記吸込開口１４の上方には回転清掃体２３が配設されている。この回転清掃体２３は、支軸２４の長手方向に沿って複数列のブラシ２５、ブレード２６が交互に螺旋状に配設されたものからなっている。
【００２０】
この回転清掃体２３は、一端を軸受２７を介して区画壁１７に回転自在に支持され、他端を軸受２８を介して区画壁１６に回転自在に支持されている。区画壁１６側の上記支軸２４にはタイミングギヤ２９が固着されている。
【００２１】
前述した第１室２１には、上記回転清掃体２３を駆動するためのモータ３０が収納されている。このモータ３０の出力軸３１にはタイミングギヤ３２が固着されていて、タイミングベルト３３を介して上記タイミングギヤ２９に接続されている。
【００２２】
また、第２室２２には回路基板３４が収納されている。この回路基板３４は、図４に示すように複数の電気部品３５や図示しないプリント配設等を有している。  また、前述した区画壁１８及び区画壁１９は、前後方向に沿う区画壁１８ａ及び１９ａを連続してそれぞれ有している。この区画壁１８ａ、区画壁１９ａにより区画されて連通路Ａが形成されている。
【００２３】
図２、図３に示す接続パイプ３６は、吸込口本体５を掃除機本体２の吸込風路管４（図１参照）に接続するものであり、この接続パイプ３６の基部側には左右方向に沿う回転管３７を有している。
【００２４】
この回転管３７は、図４、図５に示すように上記区画壁１８ａ、１９ａにそれぞれ形成された軸受部３８と、吸込口本体５の上ケース１２（図１参照）に形成された同様の軸受部とにより前後方向に回転自在に支持されている。なお、両側の側壁２０ａに配設された車輪３９（図３参照）により、吸込口本体５は被清掃面に沿って前後動可能に支持されている。
【００２５】
上記のように構成された吸込口本体５及び接続パイプ３６等により、吸込口体４０が構成されている。この吸込口体４０が被清掃面を前後動しながら吸込開口１４から吸引される塵埃を含む空気は、上記Ａ及び接続パイプ３６を介して前記掃除機本体２に送られて塵埃が回収される。
【００２６】
上記吸込口本体５は、図１のハンドル３、吸込風路管４側から接続パイプ３６を介して電源用及び制御用の電気が接続されている。図４に示すように、回転管３７の回路基板３４側の開口部３７ａからは、複数のリード線４１がそれぞれ引き出されている。
【００２７】
このリード線４１の一部は、前記回路基板３４の配線用のリード線として用いられ、他のリード線は下ケース１３の図示しない配線経路を介して前記モータ３０に接続されている。
【００２８】
接続パイプ３６及びこれが接続されている掃除機本体２は起立状態でロックするための係止機構を必要としている。上記回路基板３４が収納されている第２室２２の延長部２２ａは、回転管３７からの複数のリード線４１や他の電気部品４２等があるため、上記の係止機構の配置は難しいと共に、リード線４１の断線の原因となる虞がある。
【００２９】
そこで、本実施の形態では図５に示すように、電動部としてモータ３０が収納されている第１室２１の延長部２１ａに接続パイプ３６を起立させるための係止機構４３が配置されている。
【００３０】
図５において、延長部２１ａ内の支持部４４には、板バネ４５の基部４５ａが押さえ部材４６を介してネジ４７により固定されており、この板バネ４５の中間部には突起部４５ｂが形成されている。
【００３１】
また、回転管３７のモータ３０側の開口部３７ｂ内には、上記板バネ４５側に一部が延出している係止部材４８が固着されている。この係止部材４８は、上記板バネ４５を押圧可能な外周面４８ａを有している。
【００３２】
この外周面４８ａには、板バネ４５の突起部４５ｂが係止可能な凹部４８ｂが形成されている。この凹部４８ｂは、接続パイプ３６及び掃除機本体２が起立状態になったときに板バネ４５の突起部４５ｂに係止して掃除機本体２の起立状態をロックするようになっている。
【００３３】
そして、係止部材４８が上記凹部４８ｂ以外の外周面４８ａにより板バネ４５を押圧しているときには、付勢手段としての板バネ４５の付勢力により吸込口本体５の先端側が被清掃面に押圧されるように付勢されている。
【００３４】
上記の板バネ４５及び係止部材４８等により、接続パイプ３６及び掃除機本体２を起立状態にロックするための係止機構４３が構成されている。
【００３５】
従来の吸込口体においては、掃除機本体２を起立状態にロックする係止機構に捩りバネが使用されていたので、組付性が悪いと共に掃除機本体２をロックするための弾性が小さかった。
【００３６】
これに対し、本実施の形態においては、係止機構４３を構成するバネは板バネ４５により構成されているので、吸込口本体５に対する板バネ４５の組み付けを容易に行うことができ、吸込口本体５の組み立て時における作業効率を向上させることができる。
【００３７】
また、係止機構４３の付勢手段が大きい弾性力を選択可能な板バネ４５であることにより、吸込口本体５の先端部を所望の強さで被清掃面に押圧させることができると共に、係止機構４３のロック作用を確実にすることができる。
【００３８】
なお、上記板バネ４５及び係止部材４８はそれぞれ金属性材料から構成されている。掃除機本体２を吸込口本体５に対して傾動させながら清掃すると係止部材４８と板バネ４５とは互いに摺動するが、上記のように板バネ４５と係止部材４８とが金属性材料により構成されているので、板バネ４５及び係止部材４８の摩耗が防止されて係止機構４３の耐久性を向上させることができる。
【００３９】
次に、吸込口体４０の作用を説明する。
【００４０】
電気掃除機１（図１参照）により被清掃面を清掃しているときには、掃除機本体２の吸込風路管４は、図６に示すように傾斜した状態にある。このとき、板バネ４５の突起部４５ｂが係止部材４８の外周面４８ａにより押圧されている。上記外周面４８ａと外周面４８ａの接触部が、回転管３７の中心Ｃより吸込口本体５の前側（図６において左側）に位置しているので、吸込口本体５の先端部は被清掃面に押圧されて安定して清掃を行うことができる。
【００４１】
なお、係止部材４８の外周面４８ａは、本実施の形態では短い場合を示したが、実際には凹部４８ｂから８０°以上の長さが好ましい。このように外周面４８ａを長く形成することで、掃除機本体２を吸込口本体５に対して大きく倒伏させても吸込口本体５の先端部を被清掃面に継続して押圧させることができる。
【００４２】
電気掃除機１を収納したり異なる場所に持ち運ぶ際には、掃除機本体２は図１に示すように吸込口本体５に対して起立状態にされる。このとき、図７に示すように、係止機構４３の係止部材４８が回転管３７と共に回動して、凹部４８ｂが板バネ４５の突起部４５ｂに係止されることで、掃除機本体２は起立状態にロックされる。
【００４３】
回転管３７すなわち掃除機本体２をロックするバネが捩りバネよりも弾性力の比較的強い板バネ４５であることにより、掃除機本体２を起立状態に確実にロックすることができると共に、吸込口本体５の組み立て時においては、板バネ４５の組み立てを容易に行うことができる。
【００４４】
上記のように構成された係止機構４３は、回転管３７のリード線４１が引き出されている側すなわち開口部３７ａ側（図４参照）と反対側の開口部３７ｂ側に配設したことによって、係止機構４３にリード線４１が絡む現象及びこれによる係止機構４３の動作不良及びリード線４１の断線等を防止することができる。
【００４５】
そして、このような吸込口体４０を掃除機本体２に適用することにより、安定した清掃作用を行うことができると共に、電気掃除機１の移動時及び収納時には起立状態に確実にロックすることができる電気掃除機１を実現することができる。
【００４６】
なお、本実施の形態では、モータ（電動部）３０は、回路基板３４を駆動させるものとして説明したが、上記モータ３０は、車輪３９等の駆動をするものであってもよい。
【００４７】
以上説明した本発明の実施の形態の吸込口体４０は、吸込口本体５の略中央に回転管を介して前後方向に回動可能に取り付けられた接続パイプ３６と、前記吸込口体５に設けられた電動部３０とを有している。さらに、前記電動部３０を制御するものであって前記接続パイプ３６の一側に配設された回路基板３４及び該回路基板３４へ配線されるリード線４１と、前記接続パイプ３６を起立させた状態で前記回転管３７と前記吸込口本体５とをロックする係止機構４３とを有している。そして、前記係止機構４３は、前記接続パイプ３６の他側に配設されている。
【００４８】
この構成によれば、接続パイプ３６、例えば、この接続パイプ３６が接続される掃除機本体２を吸込口本体５に対して起立状態にロックする係止機構４３を、回転管３７のリード線４１が引き出されている側と反対側に配置したことで、リード線４１が係止機構４３に絡んだり断線する現象をなくすことができる。このため、吸込口体４を安定して使用することができる。
【００４９】
また、本発明の実施の形態の吸込口体４０は、前記係止機構４３が、板バネ４５と前記回転管３７と共に可動して前記板バネ４５に設けられた突部部４５ｂに係止する係止部材４８とからなることを特徴としている。
【００５０】
この構成によれば、係止機構４３を板バネ４５と、前記回転管３７と共に可動して前記板バネ４５に設けられた突部部４５ｂに係止する係止部材４８とから構成したので、吸込口本体５に対する板バネ４５の組み付けを容易に行うことができる。また、板バネ４５の付勢力を大きくなるように容易に選択することができる。
【００５１】
また、本発明の実施の形態の吸込口体４０は、前記板バネ４５及び係止部材４８が、金属性材料からなることを特徴としている。
【００５２】
この構成によれば、板バネ４５及びこれに係止する係止部材４８が金属性材料からなっているので、吸込口本体５に対する掃除機本体２の反復した回動においても板バネ４５及び係止部材４８の摩耗を防止して吸込口体４０を耐久性を向上させることができる。
【００５３】
また、本発明の実施の形態の電気掃除機１は、電動送風機６を内蔵すると共に操作用の把手２ａを有する掃除機本体２と、前述した吸込口体４０とを有している。
【００５４】
この構成によれば、吸込口本体４０におけるリード線４１の断線を防止すると共に、掃除機本体２を持ち運ぶとき、及び掃除機本体２を起立状態にして収納するときに、掃除機本体２を確実に起立状態に係止してロックさせる電気掃除機１を実現することができる。
【００５５】
【発明の効果】
以上説明したように、請求項１の発明によれば、接続パイプすなわち掃除機本体を吸込口本体に対して起立状態にロックする係止機構を、吸込口本体のリード線が引き出されている側と反対側に配置したことで、リード線が係止機構に絡んだり断線する現象をなくすことができる。このため、吸込口体を安定して使用することができる。
【図面の簡単な説明】
【図１】本発明に係わる電気掃除機の外観斜視図である。
【図２】吸込口本体の内部を示す斜視図である。
【図３】吸込口本体の内部を示す平面図である。
【図４】回路基板が収納されリード線が配線されている側の吸込口本体の部分斜視図である。
【図５】係止機構が配設されている側の吸込口本体の部分斜視図である。
【図６】係止機構の側面図である。
【図７】ロック状態にある係止機構の側面図である。
【符号の説明】
１          電気掃除機
２          掃除機本体
２ａ        把手
５              吸込口本体
６          電動送風機
２１                第１室（吸込口体の一側）
２２        第２室（吸込口体の他側）
３０        モータ（電動部）
３４        回路基板
３６        接続パイプ
３７        回転管
４１        リード線
４３                係止機構
４５        板バネ
４５ｂ            突起部
４８        係止部材
４８ｂ      凹部
【図１】
2004230043.tif 000003
【図２】
2004230043.tif 000004
【図３】
2004230043.tif 000005
【図４】
2004230043.tif 000006
【図５】
2004230043.tif 000007
【図６】
2004230043.tif 000008
【図７】
2004230043.tif 000009